(57)【特許請求の範囲】
【請求項１】
広告用の画像が印刷された上パネル及び下パネルと、該下パネルの下部を裏側に折り曲げて形成した接地部と、該接地部に設けた起立片と、前記上下のパネルが貼り付けられる背板と該背板の両側に連設された左右の側板とを備えたスタンドと、前記左右の側板の間隔を保持する間隔保持片及び／又は上端保持片とを有し、前記起立片により前記パネルとスタンドとが位置決め固定され、上下パネルの接続側端部を裏側に折り曲げて上下の接続片を形成し、該上下の接続片に位置合わせ部を形成して上下のパネルの接続位置決めとし、前記接続片に前記スタンドとの位置決め用係止部を形成したことを特徴とする広告体。
【請求項２】
前記スタンドが、上スタンドと下スタンドとに分割され、上下のスタンドの一方に接合片と差込片とを設け、他方のスタンドには接合片とスリットとを設け、上下の接合片を重ね合わせ、一方の差込片を他方のスリットに差し込むことにより位置決め結合されることを特徴とする請求項１記載の広告体。
【発明の詳細な説明】
【０００１】
【発明が属する技術分野】
本発明は、広告体に関し、特に、人型ＰＯＰと言われる比較的大型で、主として室内で用いられるものに関する。
【０００２】
【従来の技術】
人型ＰＯＰと称される広告体は、等身大ＰＯＰとも言われ、古くから多くの業界で使用されている。この人型ＰＯＰは、人気のあるタレントやキャラクターを使用する場合が多く、広告効果が大きいことから、広告体としての価値が認められてきた。
【０００３】
図１０は、このような広告体としての人型ＰＯＰの従来例を示す斜視図である。人型ＰＯＰは、モデルの写真等が描かれたパネル１０をスタンド２０に張り付けた構成になっている。主として屋内で使用するものは、パネル１０もスタンド２０も共に段ボール等の紙製である。
【０００４】
まず、パネル１０の作成方法から説明する。人型ＰＯＰは、立っている人間の等身大の写真又は絵が記載されるのが原則なので、パネルの大きさは、１．５ｍ〜２ｍ程度となり、パネルとしては、この大きさの印刷物を作らなければならない。これに対し、現在使用されている印刷機は、Ｂ１サイズ（728×1030mm）又はＬ判（800×1100mm）程度が最大サイズとなっている。勿論、これ以上の1,500mm〜2,000mmといったサイズを印刷できる機械もあるが、非常に特殊であり、日本に数台しか無いと言われ、価格も大変な高額である。したがって、通常は、上記のＢ１サイズ程度の大きさのものを２枚張り合わせて等身大のパネル１０を製作している。
【０００５】
図１１は、このような従来のパネル１０の断面図である。パネル１０は、人物の写真又は絵が印刷されたコートボール紙製のパネル本体を段ボール台紙に張り付けたものである。コートボール紙は、表面が白く艶のある面で、裏面はネズミ色をした厚紙で、白色の面に写真や絵を印刷する。パネル本体は、上パネル本体１１と下パネル本体１２とに分けて印刷される。段ボール台紙１３は、下板紙１３ａに波板紙１３ｂを貼ったものである。通常の段ボールは波板紙１３ｂの上にも下板紙１３ａと同じ板紙を接着してサンドイッチ状にしているが、ここの段ボールは上側の板紙の無いものとなっている。この段ボール台紙１３は、予めパネル１０の形状にカットされている。
【０００６】
図示しない印刷機で、人物の写真又は絵を上パネル本体１１と下パネル本体１２とに分割して印刷し、これらを段ボール台紙１３の上に接着剤で貼り合わせ、パネル１０が完成する。すなわち、パネル１０は、段ボールにおいて、波板紙１３ｂをサンドイッチ状に挟む２枚の板紙の一方を、上下のパネル本体１１，１２に置き換えた構成となる。
【０００７】
パネル１０の作成方法としては、人物の写真や絵を薄い紙に印刷し、通常の段ボール、すなわち、波板紙１３ｂを両側から厚紙でサンドイッチ状に挟んだ段ボールに糊付けする方法も考えられる。しかし、そのような構成にすると、張り付けて乾燥させた後、パネルに反りが発生したり、しわができたりし易い。これに対し、コートボール紙を用いた方法によれば、反りやしわを確実に防止することができる。このような理由からコートボール紙を用いている。
【０００８】
図１２は、スタンド２０の展開図である。段ボール紙を無駄なく利用するためと、組立を容易にするために、このような１枚の紙片を作り、実線に沿って切断し、点線に沿って折り曲げることで、図１３に示すようなスタンド２０を組み立てるのである。紙片は、点線及び実線により背板２１、左右の側板２２，２３、及び中央の補強片２４に分割される。補強片２４の上縁には、背板２１の幅と同じ間隔で係止溝２５，２５が形成されている。また、補強片２４の左右両側には突起があり、この突起に対応する被係止溝２６，２６が左右の側板２２，２３に形成されている。
【０００９】
スタンド２０を組み立てるには、まず、背板２１の両側の側板２２，２３部分を点線の位置で折り曲げてコ字状にする。次に、補強片２４を中間の線２４ａで山形に折り曲げ、係止溝２５，２５と被係止溝２６，２６とを嵌合させる。これによって、図１３に示すように左右の側板２２，２３が背板２１に対してコ字状に保持されることになる。以上でスタンド２０の組立は完了する。こうしてできたスタンド２０の背板２１にパネル１０を接着剤等で張り付け、広告体が完成する。
【００１０】
【発明が解決しようとする課題】
しかしながら、上記の従来の広告体には、次のような問題があった。先ず、第１に、パネル１０をスタンド２０に張り付ける際の位置決め手段がなく、位置決め作業が困難である。パネル１０が上下パネル本体１１，１２をつなぎ合わせる場合は、かなりの長さになるので、スタンド２０に対する位置決めも、一カ所ではなく、２カ所あることが望ましい。
【００１１】
第２に、パネル１０を上パネル本体１１と下パネル本体１２とに分割して印刷し、段ボール台紙１３の上で張り合わせるのであるが、このときも、位置決め手段が全くないので、描かれた写真又は絵を見ながら張り合わさなければならず、張り合わせが難しく、時間が掛かる。
【００１２】
第３に、スタンド２０の形状を保持するのは、補強片２４に設けられた係止溝２５，２５と、左右の側板２２，２３の被係止溝２６，２６とを嵌合させるだけなので、左右の側板２２，２３が開き易く、スタンド２０の安定性が悪い。
【００１３】
第４に、スタンド２０の接地部分は、背板２１と左右の側板２２，２３の下端縁と、パネル１０の下端縁であり、全て線接触なので、強度が弱い。これらの理由からスタンド２０の安定性に欠ける。
【００１４】
第５に、補強片２４を形成するために左右の側板２２，２３を大きくえぐるので、側板２２，２３のえぐられた部分の幅Ｗ（図１２参照）が小さくなり、側板２２，２３の強度が低下する。この問題に対して、側板２２，２３の幅を大きくすれば良いのであるが、そうするとスタンド２０の奥行き寸法が大きくなり、広告体の設置スペースが大きくなってしまう。
【００１５】
本発明は、上記の問題の解決を図ったもので、スタンドとパネルの位置決めが容易で、スタンドが安定し、広告体の奥行き寸法を小さくしても側板の強度が低下しない広告体を提供することを第１の目的としている。また、上記の目的に加えて２枚のパネルを張り合わす際の位置決めが容易な広告体を提供することを第２の目的としている。
【００１６】
【課題を解決するための手段】
上記第１の目的を達成するために本発明の広告体は、広告用の画像が印刷されたパネルと、該パネルの下部を裏側に折り曲げて形成した接地部と、該接地部に設けた起立片と、前記パネルが張り付けられる背板と該背板の両側に連設された左右の側板とを備えたスタンドと、前記左右の側板の間隔を保持する間隔保持片及び／又は上端保持片とを有し、前記起立片により前記パネルとスタンドとが位置決め固定されることを特徴としている。前記起立片を左右の側板と同じ間隔で一対設け、かく起立片と側板とを固定する構成にすることができる。
【００１７】
上記第２の目的を達成するために本発明は、前記パネルが上パネルと下パネルの２枚のパネルからなり、前記接地部が下パネルに形成され、上下パネルの接続側端部を裏側に折り曲げて上下の接続片を形成し、該上下の接続片に位置合わせ部を形成して上下のパネルの接続位置決めとし、上記接続片に前記スタンドとの位置決め用係止部を形成する構成を特徴としている。前記接続片又は前記接地部が、上下パネルの全幅に渡って形成されている構成とすることもできる。
【００１８】
前記スタンドが、上スタンドと下スタンドとに分割され、上下のスタンドの一方に接合片と差込片とを設け、他方のスタンドには接合片とスリットとを設け、上下の接合片を重ね合わせ、一方の差込片を他方のスリットに差し込むことにより位置決め結合される構成としたり、前記パネル及びスタンドが共に段ボール製である構成とすることができる。
【００１９】
【発明の実施の形態】
以下に本発明の実施例を図面によって説明する。
図１は、本発明の広告体の第１実施例を示す図で、（ａ）は裏面から見た斜視図、（ｂ）は表面から見た斜視図である。同図に示す広告体１００は、パネル１１０とスタンド１２０とから構成されている。この実施例のパネル１１０の大きさは、通常の印刷機で印刷できる最大の大きさ以内の大きさである。
【００２０】
パネル１１０は、表面側に人物等の写真や絵が印刷されたもので、従来例と同様にコートボール紙製のパネル本体を、段ボール台紙に張り付けたものである。パネル１１０の下端には、裏側にほぼ９０゜の角度に折り曲げた接地部１１１がある。この接地部１１１の両端には、パネルの上方に向けてほぼ９０゜折り曲げて形成した起立片１１２，１１２があり、起立片１１２，１１２には、小孔１１２ａ，１１２ａが穿設されている。パネル１１０には、コ字形のスリット１１０ａが開けられ、ここに別の紙片を折って形成したポケット１１３を付け、パンフレット１１５を収容できるようにしている。
【００２１】
図２はスタンド１２０を分解して平らに展開した分解展開図である。スタンド１２０は、１枚の段ボールから切り取った本体部と２つの付属片とから構成されている。本体部は、長方形の背板１２１と、その両側の点線を折り曲げて形成した左右の側板１２２，１２２と、背板１２１の上部の点線を折り曲げて形成した上端保持片１２３とからなっている。左右の側板１２２，１２２は、下側が広く上側が狭い台形に似た形状で上端はほぼ半円形になって、その先端に段差状の係止部１２２ａがある。左右の側板１２２，１２２の斜面の中間には、スリット１２２ｂ，１２２ｂが形成され、下端の両側には小孔１２２ｃ，１２２ｃが開けられている。
【００２２】
上端保持片１２３は、背板１２１とほぼ同じ幅の首部の上に幅の広い肩部が形成された形状で、肩部の下側は半円形になって、首部との間に係止溝１２３ａ，１２３ａを形成している。
【００２３】
２つの付属片は、左右の側板１２２，１２２の間隔を保持するもので、一方が差込型の間隔保持片１２４で他方が折曲型の間隔保持片１２５である。間隔保持片１２４には、左右に溝１２４ａ，１２４ａが形成されている。間隔保持片１２５は左右の点線部分を直角に折り曲げてコ字状にする。折り曲げた部分に小孔１２５ａ，１２５ａが穿設されている。
【００２４】
図３に示すように、スタンド１２０は、左右の側板１２２，１２２と上端保持片１２３を点線（図２参照）のところで、矢印に示すように折り曲げて組み立てる。左右の側板１２２，１２２及び上端保持片１２３は、背板１２１に対して直角になり、上端保持片１２３の係止溝１２３ａ，１２３ａと、左右の側板１２２，１２２の係止部１２２ａ，１２２ａとが係合する。背板１２１と左右の側板１２２，１２２とがほぼコ字形になったら、左右の側板１２２，１２２が起立片１１２，１１２の内側に入るように背板１２１とパネル１１０とを重ね、仮止めする。左右の側板１２２，１２２の下端の背板１２１側の小孔１２２ｃ，１２２ｃとパネル１２０の起立片１１２の小孔１１２ａ，１１２ａとを重ね、固定部材としてのプラスチック製のホック３０で固定する。
【００２５】
図４は、ホック３０の詳細を示す拡大分解斜視図である。ホック３０は、合成樹脂製で、雄型ホック３１と雌型ホック３２とからなり、雄型ホック３１に設けられた突起３１ａが、雌型ホック３２の貫通孔３２ａに圧入されることで、両フランジ間に挟んだものを固定する。
【００２６】
図５は、ホックの使用方法を説明する断面図で、（ａ）は固定前、（ｂ）は固定後を示す。起立片１１２と側板１２２とを重ね、側板１２２の小孔１２２ｃと起立片１１２の小孔１１２ａとを重ねる。両小孔１２２ｃ，１１２ａが重なったら、図の左側から雌型ホック３２を小孔１２２ｃ，１１２ａに挿入し、反対側から雄型ホック３１の突起３１ａを挿入し、雌型ホック３２の貫通孔３２ａに押し込む。雌雄のホック３１，３２が嵌合したら、図５（ｂ）に示すように、側板１２２と起立片１１２とは雌雄のホック３１，３２の両フランジ間に挟みつけられ固定される。両側の側板１２２，１２２について同様にすることによって、スタンド１２０はパネル１１０に固定される。さらに、間隔保持片１２５を同様の方法で固定する。最後に、間隔保持片１２４をスリット１２２ｂ，１２２ｂに差し込む。このとき、間隔保持片１２４の溝１２４ａ，１２４ａとスリット１２２ｂ，１２２ｂとが係合し合うようにする。この後、パネル１１０を背板１２１に接着固定し、パネル１１０に形成されたコ字形のスリット１１０ａにポケット１１３を取り付けて完成となる。
【００２７】
スタンド１２０の左右の側板１２２，１２２は、下端を間隔保持片１２５とにより、上端を上端保持片１２３によって、中間を間隔保持片１２４によって間隔を保持されるので、スタンド１２０は、簡単には形状が崩れなくなり、非常にしっかりとしたものとなる。また、従来例のように側板２２，２３に補強片２４を切り出すためのえぐられた細い部分（図１２の寸法Ｗで示す部分）ができず、側板１２２，１２２の強度が向上する。
【００２８】
上記の実施例によれば、パネル１１０の起立片１１２とスタンド１２０の左右側板１２２，１２２とを固定するので、パネル１１０に対する側板１２２，１２２の位置決めが簡単にできるようになる。
【００２９】
図６は、本発明の広告体の第２実施例を示す斜視図である。この広告体２００は、パネル２２０が、上パネル２３０と下パネル２４０とから形成された実施例である。上下のパネル２３０，２４０をつないだ高さは、１．５〜２ｍ程度で、その表面には、大人の等身大立像等の大きな写真や絵が描かれている。スタンド２５０も、上スタンド２６０と下スタンド２７０とから構成されている。
【００３０】
図７はパネル２２０を分解して平らに展開した分解展開図である。上下パネル２３０，２４０の作り方は、従来例で説明したのと同じで、コートボール紙に人物の等身大立像を上下に分割して印刷し、それぞれを段ボール台紙に糊付けしている。したがって、こうして形成された上下パネル２３０，２４０も段ボール製ということになる。
【００３１】
上パネル２３０の下端には、点線を９０゜折り曲げて形成される接続片２３１がある。この接続片２３１の長さは上パネル２３０の幅と同じ長さになっている。接続片２３１には、スタンド２５０との位置決め用係止部として、離間した２つの溝２３１ａ，２３１ａと、位置合わせ部として、ほぼ等間隔に穿設された４つの小孔２３１ｂがある。溝２３１ａ，２３１ａの間隔は、図８で説明するスタンド２５０の背板２６１，２７１の幅と等しくなっている。
【００３２】
下パネル２４０は、上端に接続片２４１が連設されている。この接続片２４１は、上パネル２３０の接続片２３１と同じ長さで、相互に重なり合って上下のパネル２３０，２４０を接続するものである。接続片２３１の溝２３１ａ，２３１ａとおなじ位置にスタンド２５０との位置決め用係止部としての溝２４１ａ，２４１ａがあり、４つの小孔２３１ｂに対応して位置合わせ部としての４つの小孔２４１ｂを有している。
【００３３】
下パネル２４０の下端には、点線位置で折り曲げ形成される接地部２４２を連設している。この接地部２４２は、下パネル２４０の幅一杯に形成され、接地部２４２の一部はコ字形に切り欠かれている。この部分を点線に沿って折り曲げると一対の起立片２４３，２４３となる。起立片２４３，２４３には、中央に小孔２４３ａ，２４３ａが開けられている。両起立片２４３，２４３の折り曲げ位置を示す点線間の間隔は、図８で説明するスタンド２５０の背板の幅と等しい。
【００３４】
上下のパネル２３０，２４０を点線で折り曲げ、接続片２４１の上に接続片２３１を重ね、溝２３１ａ，２４１ａを一致させると、４つの小孔２３１ｂと２４１ｂとが重なり合う。これら重なり合った小孔２３１ｂ，２４１ｂにホック３０を挿通し、固定する。これでパネル２２０が出来上がる。上下パネル２３０，２４０は接続片２３１，２４１と一体になっていて点線部分で折り曲げる構成になているので、パネル２２０の強度を向上させ、反りにくくすることができる。特に、接続片２３１，２４１の長さが上下パネル２３０，２４０の幅と同じになっているので、その効果が大きい。
【００３５】
図８はスタンド２５０の分解展開図である。上スタンド２６０と下スタンド２７０とは、それぞれ１枚の段ボールから切り取った本体部と各１つの独立した付属片とから構成されている。
【００３６】
上スタンド２６０は、上背板２６１と、その両側の点線を折り曲げて形成した左右の上側板２６２，２６２と、上背板２６１の上部の点線を折り曲げて形成した上端保持片２６３とからなっている。上端保持片２６３は、上背板２６１とほぼ同じ幅の首部の上に幅の広い肩部が形成され、両肩部の下側は半円形になって、首部との間に係止溝２６３ａ，２６３ａを形成している。
【００３７】
左右の上側板２６２，２６２は、下側が広く上側が狭い台形に似た形状で上端はほぼ半円形になって、その先端に段差状の係止部２６２ａがある。左右の上側板２６２，２６２の中間には、スリット２６２ｂ，２６２ｂが形成されている。このスリット２６２ｂは、図２のスリット１２２ｂと異なり、上側板２６２の端部に開口せずにスリット２６２ｂの周囲が閉鎖されている。そのため、図２の側板１２２に比べて上側板２６２の強度が大きくなる。上側板２６２の下端には下スタンド２７０との接合片２６４があり、点線のところで内側に折り曲げて形成するようになっている。接合片２６４の中央には差込片２６５があり、この部分は折り曲げられず、真っ直ぐのままである。差込片２６５の中央には小孔２６５ａが開いている。上背板２６１の下端中央には、点線のところで折り曲げて形成する接合片２６６がある。符号２６７は独立して形成された間隔保持片を示し、この両側には、溝２６７ａ，２６７ａが形成されている。
【００３８】
下スタンド２７０は、下背板２７１と、その両側の左右の下側板２７２，２７２とからなっている。左右の下側板２７２，２７２の上部には、点線の位置で折り曲げて形成される接合片２７３があり、折り目のところにスリット２７３ａが開けられている。また、下側板２７２，２７２のスリット２７３ａの近傍には小孔２７２ａが開けられ、下背板２７１と両側の下側板２７２の中間にかけて、点線の位置で折れた差込スリット２７０ａが穿設されている。左右の下側板２７２の中間には、周囲が閉鎖されたスリット２７２ｂ，２７２ｂがあり、下端近傍には、小孔２７２ｃ，２７２ｃが形成されている。下背板２７１の上端には、接合片２７４があり、点線で折り曲げるようになっている。符号２７５は間隔保持片で、両側に溝２７５ａ，２７５ａを有する独立した付属片である。
【００３９】
次にスタンド２５０の組立方を説明する。まず、上スタンド２６０と下スタンド２７０をそれぞれ点線の位置でほぼ直角に折り曲げる。左右の上側板２６２，２６２の上端近くにある係止部２６２ａと係止溝２６３ａとが係止する。間隔保持片２６７をスリット２６２ｂに挿入し、間隔保持片２６７の溝２６７ａと上側板２６２のスリット２６２ｂとを係合させる。接合片２６４，２６６を点線の位置で折り曲げる。
【００４０】
下スタンド２７０も点線の位置で折り曲げ、間隔保持片２７５をスリット２７２ｂに挿入し、溝２７５ａ，２７５ａとスリット２７２ｂ，２７２ｂを係合させる。次に、上下のスタンド２６０，２７０を重ね合わせる。このとき、接合片２７３の上に接合片２６４が重なり、スリット２７３ａに差込片２６５が差し込まれる。すると、小孔２６５ａと２７２ａとが重なり合うので、これらの孔にホック３０を挿通して固定する。
【００４１】
図９はこうして組み立てられたスタンドの斜視図である。このとき、差込スリット２７０ａは、１つの水平面を形成するようになっている。なお、間隔保持片２６７，２７５を挿入するスリット２６２ｂ，２７２ｂは、図２に示すスリット１２２ｂのように、上下の側板２６２，２７２の端部から切欠形成してもよい。
【００４２】
こうして組み立てられたスタンド２５０に、上述したように組み立てておいたパネル２２０を取り付けることになる。それには、パネル２２０とスタンド２５０との位置決めが必要である。本発明では、パネル２２０が大きいので、この位置決めを２カ所でできるようにしている。
【００４３】
組み立てたパネル２２０の接地部２４２の中央にある起立片２４３，２４３の間に、スタンド２５０の下端部を挿入する。上下の背板２６１，２７１に上下のパネル２３０，２４０を密着させると、下側板２７２，２７２の下端近傍に穿設した小孔２７２ｃ，２７２ｃと起立片２４３，２４３の小孔２４３ａ，２４３ａとが重なり合う。ここにホック３０を入れて固定する。これで一カ所の位置決めができたことになる。
【００４４】
次に、上下のパネル２３０，２４０の接続片２３１，２４１の重なった部分を、スタンド２５０の差込スリット２７０ａに挿入する。そして、重ね合わせた溝２３１ａ，２４１ａに、差込スリット２７０ａの奥の下側板２７２を浸入させる。溝２３１ａ，２３１ａの間隔は上下の背板２６１，２７１の幅に等しいので、左右の下側板２７２，２７２は間隔が固定された状態になる。これによって、パネル２２０とスタンド２５０の２カ所目の位置決め固定ができることになる。
【００４５】
このように本発明の第２実施例によれば、上下に分割されたパネルやスタンドを、簡単に位置決めして組み立てることができ、パネルとスタンドの位置決めも簡単、かつ、確実に行うことができる。また、スタンド２５０を構成する左右の側板も、上端保持片２６３と間隔保持片２６７，２７５等により間隔を保持されるので、形状を保持し易く、強度も安定する。また、間隔保持片２６７，２７５は、独立して形成されるので、側板等に弱い部分ができる心配がない。さらに、下パネル２４０に連設して接地部２４２を設けたので、広告体２００が接地部２４２により床と面接触できるようになって、安定して立てることができる。特に、接地部２４２の長さは、下パネル２４０の幅と同じで、接地部２４２の幅は、スタンド２７０の下側板２７２の下端の幅と同じ程度となっており、十分な接地面積を有することから、安定性をより向上させることができる。
【００４６】
【発明の効果】
以上に説明したように本発明の広告体は、広告用の画像が印刷されたパネルと、該パネルの下部を裏側に折り曲げて形成した接地部と、該接地部に設けた起立片と、前記パネルが張り付けられる背板と該背板の両側に連設された左右の側板とを備えたスタンドと、前記左右の側板の間隔を保持する間隔保持片及び／又は上端保持片とを有し、前記起立片により前記パネルとスタンドとが位置決め固定される構成なので、パネルとスタンドの位置決めが容易にできるようになった。
【００４７】
前記パネルが上パネルと下パネルの２枚のパネルからなり、前記接地部が下パネルに形成され、上下パネルの接続側端部を裏側に折り曲げて上下の接続片を形成し、該上下の接続片に位置合わせ部を形成して上下のパネルの接続位置決めとし、上記接続片に前記スタンドとの位置決め用係止部を形成すれば、上下のパネルの張り合わせの際の位置決めが簡単にできる。また、パネルの強度を上げ、反りを防止することができる。
【図面の簡単な説明】
【図１】本発明の広告体の第１実施例を示す図で、（ａ）は裏面から見た斜視図、（ｂ）は表面から見た斜視図である。
【図２】スタンドの分解展開図である。
【図３】スタンドの組立状態を示す斜視図である。
【図４】ホックの詳細を示す拡大分解斜視図である。
【図５】ホックの使用方法を説明する断面図で（ａ）は固定前、（ｂ）は固定後を示す。
【図６】本発明の広告体の第２実施例を示す斜視図である。
【図７】パネルを分解した分解展開図である。
【図８】スタンドの分解展開図である。
【図９】スタンドの組立状態を示す斜視図である。
【図１０】広告体としての人型ＰＯＰの従来例を示す斜視図である。
【図１１】従来のパネルの断面図である。
【図１２】従来の広告体に使用されるスタンドの展開図である。
【図１３】従来のスタンドの組立状態を示す斜視図である。
【符号の説明】
１００，２００    広告体
１１０，２２０    パネル
１１１，２４２    接地部
１１２，２４３    起立片
１２０，２５０    スタンド
１２１    背板
１２２    側板
１２３，２６３    上端保持片
１２４，１２５    間隔保持片
２３０    上パネル
２３１，２４１    接続片
２３１ａ，２４１ａ  位置決め用係止部
２３１ｂ，２４１ｂ  位置合わせ部
２４０    下パネル
２６０    上スタンド
２６１    上背板
２６２    上側板
２６２ｂ，２７３ａ  スリット
２６４，２７３    接合片
２６５    差込片
２７０    下スタンド
２７１    下背板
２７２    下側板
【図１】
0003718474.tif 000002
【図２】
0003718474.tif 000003
【図３】
0003718474.tif 000004
【図４】
0003718474.tif 000005
【図５】
0003718474.tif 000006
【図６】
0003718474.tif 000007
【図７】
0003718474.tif 000008
【図８】
0003718474.tif 000009
【図９】
0003718474.tif 000010
【図１０】
0003718474.tif 000011
【図１１】
0003718474.tif 000012
【図１２】
0003718474.tif 000013
【図１３】
0003718474.tif 000014